(57)【要約】【課題】扉を閉める際に手指が押圧され難いアウトセットタイプの扉ユニットを提供する。【解決手段】幅方向における一端側の部位がピボットヒンジにより回動自在に支持されており、壁に設けられた開口を見込み方向における一方側から覆うことが可能な扉と、前記ピボットヒンジが取り付けられ、前記開口の縁部にて躯体に固定される縦枠と、を有し、前記ピボットヒンジの回動軸は、前記縦枠と見込み方向に対向するとともに前記開口側に偏った位置に配置されている。【選択図】図２
2020176408.tif 000002
【特許請求の範囲】
【請求項１】
幅方向における一端側の部位がピボットヒンジにより回動自在に支持されており、壁に設けられた開口を見込み方向における一方側から覆うことが可能な扉と、
前記ピボットヒンジが取り付けられ、前記開口の縁部にて躯体に固定される縦枠と、を有し、
前記ピボットヒンジの回動軸は、前記縦枠と見込み方向に対向するとともに前記開口側に偏った位置に配置されていることを特徴とする扉ユニット。
【請求項２】
請求項１に記載の扉ユニットであって、
前記扉の前記一端側の端部は、前記回動軸と同心の円弧状をなしていることを特徴とする扉ユニット。
【請求項３】
請求項１または請求項２に記載の扉ユニットであって、
前記縦枠は、前記壁の、見込み方向における前記一方側の見付け面のみに固定されていることを特徴とする扉ユニット。
【請求項４】
請求項１乃至請求項３のいずれかに記載の扉ユニットであって、
前記扉の前記幅方向における他端側の部位が、前記壁と見込み方向に所定の間隔を空けて対向する位置にて、前記扉の前記壁側への回動を規制する規制部材を有していることを特徴とする扉ユニット。
【請求項５】
請求項４に記載の扉ユニットであって、
前記所定の間隔は、前記扉の前記他端側の部位と前記壁との間に手指が挿通可能な間隔であることを特徴とする扉ユニット。
【請求項６】
請求項４または請求項５に記載の扉ユニットであって、
前記扉の前記一端側の部位と前記縦枠との見込み方向の間隔は、前記所定の間隔よりも狭いことを特徴とする扉ユニット。
【請求項７】
請求項４乃至請求項６のいずれかに記載の扉ユニットであって、
前記規制部材は、前記扉の下端及び床のいずれか一方から突出して他方と係合することを特徴とする扉ユニット。
【請求項８】
請求項４乃至請求項６のいずれかに記載の扉ユニットであって、
前記規制部材は、前記扉の上端部側において、前記扉及び前記壁のいずれか一方に設けられて他方に当接する、または、前記扉及び前記壁の両方に設けられて互いに当接することにより、前記扉の回動を規制することを特徴とする扉ユニット。
【発明の詳細な説明】
【技術分野】
【０００１】
本発明は、壁に設けられた開口を見込み方向における一方側から覆うことが可能な扉を有する扉ユニットに関する。
【背景技術】
【０００２】
壁に設けられた開口を見込み方向における一方側から覆うことが可能な扉を有する扉ユニットとしては、例えば、建物が有する前側空間と後側空間を往来するための開口部の前側空間側に配置され、ピボット丁番を介して揺動可能に支持されて、閉じ状態では開口部全体を前側空間側から覆うように構成された、所謂アウトセットタイプのドア（扉）を有する揺動型ドア装置が知られている（例えば、特許文献１参照）。この揺動型ドア装置のドアは、右端部である吊り元の端部が、開口部の周縁部をなす既存の右縦枠より右側の壁に取り付けられたピボット丁番により揺動可能に支持されている。
【先行技術文献】
【特許文献】
【０００３】
【特許文献１】特開２０１６−３５４３号公報
【発明の概要】
【発明が解決しようとする課題】
【０００４】
上記揺動型ドア装置のドアは、右端部が、開口部の周縁部をなす既存の右縦枠よりも右側の壁にピボット丁番を介して支持されているので、ドアを閉じるときに、既存の右縦枠及び既存の右縦枠よりも右側の壁とドアとの間に手指が挟まれて押圧される虞があるという課題がある。
【０００５】
本発明は、かかる課題に鑑みてなされたものであり、その目的とするところは、扉を閉める際に手指が押圧され難いアウトセットタイプの扉ユニットを提供することにある。
【課題を解決するための手段】
【０００６】
かかる目的を達成するための主たる発明は、幅方向における一端側の部位がピボットヒンジにより回動自在に支持されており、壁に設けられた開口を見込み方向における一方側から覆うことが可能な扉と、前記ピボットヒンジが取り付けられ、前記開口の縁部にて躯体に固定される縦枠と、を有し、前記ピボットヒンジの回動軸は、前記縦枠と見込み方向に対向するとともに前記開口側に偏った位置に配置されていることを特徴とする扉ユニットである。
本発明の他の特徴については、本明細書及び添付図面の記載により明らかにする。
【発明の効果】
【０００７】
本発明によれば、扉を閉める際に手指が押圧され難いアウトセットタイプの扉ユニットを提供することが可能である。
【図面の簡単な説明】
【０００８】
【図１】本発明にかかる扉ユニットの一例を第１室側から見た外観図である。
【図２】扉ユニットを示す横断面図である。
【図３】扉ユニットを示す縦断面図である。
【図４】図４（ａ）は、床から天井にわたる開口に設けられている縦枠を示す図であり、図４（ｂ）は、開口の内面側に回り込む部位を有する縦枠を示す斜視図であり、図４（ｃ）は、垂壁の下に設けられている開口に設けられている縦枠を示す図である。
【図５】垂壁の下に設けられている開口に設けられている扉ユニットを示す縦断面図である。
【図６】規制部材として間隔確保部材が設けられている扉ユニットを示す外観図である。
【図７】間隔確保部材が設けられている扉ユニットを示す横断面図である。
【図８】戸先に遮光部材が設けられている扉ユニットを示す横断面図である。
【発明を実施するための形態】
【０００９】
以下、本発明の一実施形態に係る扉ユニットについて図面を参照して説明する。本実施形態では、隣り合う２つの居室間を仕切る室内用の扉１０を有する扉ユニット１を例に挙げて説明する。
【００１０】
図１、図２に示すように、扉１０は、隣り合う２つの居室となる第１室Ｒ１と第２室Ｒ２とを仕切る壁２の、例えば、第１室Ｒ１側に配置される、所謂アウトセットタイプの扉１０である。
【００１１】
以下の説明においては、扉ユニット１が建物に取り付けられている状態で、見込み方向における一方側をなす第１室Ｒ１側から見たときに、上下となる方向を上下方向、左右となり扉１０の幅となる方向を左右方向、壁２に設けられた開口２ａを出入りする方向を見込み方向として示す。扉ユニット１の各部位であっても、また、扉ユニット１を構成する各部材については単体の状態であっても、扉ユニット１が取り付けられた状態で上下方向、左右方向、見込み方向等となる方向にて方向を特定して説明する。
【００１２】
扉ユニット１は、扉１０と、扉１０を回動自在に支持するピボットヒンジ３と、壁２内の躯体をなす柱４に固定される縦枠５と、扉１０の回動を規制する規制部材６と、を有している。
【００１３】
扉１０は、壁２に設けられた開口２ａの幅よりも広く、開口２ａを第１室Ｒ１側から覆うことが可能である。扉１０は、当該扉の幅方向における一端側となる右側の部位が、上端及び下端においてピボットヒンジ３により支持されている。図３に示すように、ピボットヒンジ３の回動軸３ａは、扉１０の右端側にて、当該扉１０の厚み方向の中央に設けられており、扉１０の右端の側面は、ピボットヒンジ３の回動軸３ａと同心の円弧状に形成されている。このため、扉１０は、閉じた状態から１８０度回動可能に設けられている。
【００１４】
扉１０の上下端部を支持するピボットヒンジ３はいずれも、縦枠５に取り付けられる。ピボットヒンジ３は、鉛直方向に沿って設けられる回動軸３ａと、回動軸３ａを支持し水平面をなす支持板部３ｂと、断面がＬ字状をなすように支持板部３ｂと繋がって縦枠５に固定される固定部３ｃとを有している。ピボットヒンジ３は、縦枠５に設けられ第２室Ｒ２側に窪む凹部５ａに固定部３ｃが収容された状態で縦枠５に固定され、固定された固定部３ｃと縦枠５の第１室Ｒ１側の面がほぼ同一面をなしている。
【００１５】
開口２ａは、床７から天井８の下面に至るように設けられており、ピボットヒンジ３が取り付けられる縦枠５は、壁２において開口２ａの縁部、より具体的には右縁部をなす部位（以下、右壁部という）２ｂに、上下方向に沿って取り付けられている。
【００１６】
右壁部２ｂは、柱４の第１室Ｒ１、第２室Ｒ２、及び、開口２ａにそれぞれ臨む面に石膏ボードなどの壁面材２ｃが設けられ、それらの表面に壁紙２ｄ等が貼り付けられている。右壁部２ｂの柱４の第１室Ｒ１側の面には、柱４の左側の部分に、壁面材２ｃが設けられていない部位が設けられており、縦枠５は、柱４の左側の部分にて当該柱４に直接当接されると共に、右壁部２ｂよりも開口２ａ側に突出させて柱４にビス止めされている。すなわち、扉１０を支持するピボットヒンジ３が取り付けられている縦枠５は、右壁部２ｂが有する見付け面のみに第１室Ｒ１側から固定されている。
【００１７】
ピボットヒンジ３により支持された扉１０は、扉１０の右端部分と、固定部３ｃ及び縦枠５の第１室Ｒ１側の面５ｂとの間に、僅かな隙間Ｓ１が設けられており、扉１０の回動時に、扉１０と、固定部３ｃ及び縦枠５の第１室Ｒ１側の面とが接触しないように配置されている。また、縦枠５に取り付けられた扉１０と縦枠５とは、扉１０を閉じた状態で、扉１０と縦枠５との隙間Ｓ１から、第１室Ｒ１及び第２室Ｒ２のいずれか一方側からの光が直接または回折して扉１０よりも他方側に進入しないように配置されている。
【００１８】
本実施形態の規制部材６は、図１に示すように、床７に設けられている規制部材本体６ａと、扉１０の下端に設けられている規制部材受け部材６ｂと、を有している。
規制部材本体６ａは、開口２ａの左縁をなす部位（以下、左壁部という）２ｅの近傍の床７に埋設させて設けられており、ほぼ平坦に設けられている。すなわち、扉１０の幅方向における他端側となる戸先側の床７に設けられている。規制部材本体６ａは、例えば、マグネットにより床７より上方に突出する突出部材６ｃを有している。
【００１９】
規制部材受け部材６ｂは、扉１０の下端に設けられたマグネット(不図示)と、床７から突出した突出部材６ｃが当接される当接部６ｄと、を有している。
【００２０】
規制部材６は、開いている扉１０が回動し、扉１０の戸先側が左壁部２ｅに近づいたときに、規制部材受け部材６ｂのマグネットにより、規制部材本体６ａの突出部材６ｃが床７から立ち上がり、扉１０の当接部６ｄに当接することにより、扉１０の第２室Ｒ２側への移動を規制する。このとき、扉１０と壁２の左壁部２ｅとの間は見込み方向に隙間Ｓ２が空けられており、扉１０と壁２の左壁部２ｅとの間の隙間Ｓ２は、手指が挿通可能な間隔（所定の間隔）Ｗ１が確保されている。
【００２１】
すなわち、扉１０と壁２の左壁部２ｅとの間隔Ｗ１は、扉１０と縦枠５との見込み方向における間隔Ｗ２よりも広い。このとき、扉１０の戸先側の端は、開口２ａの右縁よりも十分に左側に位置しており、扉１０を閉じた状態で、扉１０と左壁部２ｅとの隙間から、第１室Ｒ１及び第２室Ｒ２のいずれか一方側からの光が直接または回折して扉１０よりも他方側に進入しないように配置されている。
【００２２】
本実施形態の扉ユニット１によれば、ピボットヒンジ３の回動軸３ａが、開口２ａの右壁部２ｂに固定される縦枠５と見込み方向に対向するとともに開口２ａ側に偏った位置に配置されているので、扉１０を閉じた状態では、扉１０と縦枠５とが対向する幅が狭い。このため、扉１０を閉める際に、扉１０と縦枠５との間には手指が置かれ難いので、扉１０を閉める際に手指は押圧され難い。このため、扉１０を閉める際に手指が押圧され難いアウトセットタイプの扉ユニット１を提供することが可能である。
【００２３】
また、扉１０の吊り元側となる右側の端部が回動軸３ａと同心の円弧状をなしているので、扉１０を縦枠５側に近接させて設けても回動させることが可能である。このため、扉１０と縦枠５との見込み方向における間隔Ｗ２を狭くできるので、扉１０と縦枠５との間に手指が挿入できないように扉１０を配置することが可能である。
【００２４】
また、吊り元側が回動自在に支持された扉１０は、規制部材６により扉１０の他端側となる戸先側の部位が、左壁部２ｅと見込み方向に間隔Ｗ２を空けて対向する位置にて回動が規制されるので、扉１０の戸先側の部位は左壁部２ｅに当接しない。このため、扉１０を閉める際に、扉１０の戸先側の部位と左壁部２ｅとの間に手指が置かれていたとしても、手指が押圧され難い。このため、扉１０を閉める際に、扉１０の戸先側においても手指が押圧され難いアウトセットタイプの扉ユニット１を提供することが可能である。
【００２５】
また、規制部材６にて規制された扉１０の戸先側の部位と左壁部２ｅとの間には手指が挿通可能なので、扉１０の戸先側において手指を挟むことをより確実に防止することが可能である。
【００２６】
また、扉１０の吊り元側の間隔Ｗ２は、戸先側の間隔Ｗ１より狭いので、扉１０の吊り元側では、ピボットヒンジ３の回動軸３ａを開口２ａ寄りに配置しつつも光の漏れをより抑えることが可能であり、扉１０の戸先側では、手指が押圧されることを抑制することが可能である。
【００２７】
また、規制部材６は、扉１０の下端に設けられたマグネットにより床７から突出部材６ｃが突出して扉１０の下端に設けられた規制部材受け部材６ｂの当接部６ｄに当接（係合）するので、扉１０開いている状態では突出部材６ｃは突出していない。このため、ユーザー等が突出部材６ｃには手指で触れないので安全性が高く、また、床７に収容されて視認され難いので意匠性にも優れている。
【００２８】
また、扉１０を支持するピボットヒンジ３が縦枠５を介して柱４に固定されるので、上下に設けられるピボットヒンジ３が天井８と床７など異なる部材に取り付けられる場合、または、施工現場にて直接柱等に取り付けられる場合よりも、上下の回動軸３ａの位置をより正確に合わせて取り付けることが可能である。このため、ピボットヒンジ３により支持される扉１０を安定した状態で支持することが可能であり、上下の回動軸３ａの位置ずれによる扉１０の脱落を防止することが可能である。
【００２９】
また、ピボットヒンジ３が固定される縦枠５は、図４（ａ）に示すように、右壁部２ｂの第１室Ｒ１側から見込み面４ａのみに当接されて固定されているので、図４（ｂ）に示す縦枠５０のように、開口２ａの内側、すなわち、右壁部２ｂと左壁部２ｅとが対向する部位側に回り込む部位５０ａを有していない。このため、例えば、図４（ｃ）、図５に示すように開口２ａの上部に垂壁２ｆが設けられている場合であっても、垂壁２ｆを有していない壁２の開口２ａと同一の縦枠５を用いることが可能である。
【００３０】
上記実施形態においては、規制部材６が、扉１０の下端に設けられているマグネットにより床７から立ち上がって扉１０の回動を規制する例について説明したが、これに限るものではない。例えば、図６、図７に示すように、扉１０の上端部側であって、戸先側の部位と左壁部２ｅとの互いに対向する部位に、扉１０の戸先側の部位と左壁部２ｅとが見込み方向に間隔Ｗ１を空けた状態で互いに当接される規制部材６ｅを備えている形態であっても構わない。
【００３１】
この場合には、扉１０及び左壁部２ｅの両方に設けられた規制部材６ｅが互いに当接することにより、扉１０の回動が規制されるので、より確実に扉１０の回動を規制することが可能である。また、規制部材６ｅは、ユーザーの手が届かない高い位置に設けられているので安全性が高く、また、扉１０の上端部側に設けられて視認され難いので意匠性にも優れている。図６、図７の例では、扉１０と左壁部２ｅとにいずれも規制部材ｅが設けられている例について説明したが、規制部材６ｅは、扉１０と左壁部２ｅとのいずれか一方のみに設けられていても構わない。
【００３２】
また、上記実施形態においては、扉１０の戸先側の端は、開口２ａの左縁よりも十分に左側に位置するように構成して、扉１０を閉じた状態で、第１室Ｒ１及び第２室Ｒ２のいずれか一方側からの光が直接または回折して扉１０よりも他方側に進入しないように、配置する例について説明したが、これに限るものではない。例えば、図８に示すように、扉１０の戸先側の端部に、軟質合成樹脂製の遮光部材９を設けても構わない。
【００３３】
遮光部材９が設けている場合には、遮光部材９が設けていない場合よりも、扉１０の戸先側の端部を開口２ａの左縁２ｇ側に配置しても、第１室Ｒ１及び第２室Ｒ２のいずれか一方側からの光が直接または回折して扉１０よりも他方側に進入し難くなる。このため、扉１０の幅を狭くすること、より具体的には、扉１０において開口２ａの左縁よりも左側に突出する部位を小さくすることが可能である。
【００３４】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３５】
本実施形態には、少なくとも以下の発明が含まれる。
幅方向における一端側の部位がピボットヒンジにより回動自在に支持されており、壁に設けられた開口を見込み方向における一方側から覆うことが可能な扉と、前記ピボットヒンジが取り付けられ、前記開口の縁部にて躯体に固定される縦枠と、を有し、前記ピボットヒンジの回動軸は、前記縦枠と見込み方向に対向するとともに前記開口側に偏った位置に配置されていることを特徴とする扉ユニットである。
【００３６】
このような扉ユニットによれば、ピボットヒンジの回動軸が、開口の縁部に固定される縦枠と見込み方向に対向するとともに開口側に偏った位置に配置されているので、扉を閉じた状態では、扉と縦枠とが対向する幅は狭い。このため、扉を閉める際に、扉と縦枠との間には手指が置かれ難いので、扉を閉める際に手指は押圧され難い。このため、扉を閉める際に手指が押圧され難いアウトセットタイプの扉ユニットを提供することが可能である。
【００３７】
かかる扉ユニットであって、前記扉の前記一端側の端部は、前記回動軸と同心の円弧状をなしていることを特徴とする。
このような扉ユニットによれば、扉の一端側の端部が回動軸と同心の円弧状をなしているので、扉を縦枠側に近接させて設けても回動させることが可能である。このため、扉と縦枠との見込み方向における間隔を狭くできるので、扉と縦枠との間に手指が挿入できないように扉を配置することが可能である。
【００３８】
かかる扉ユニットであって、前記縦枠は、前記壁の、見込み方向における前記一方側の見付け面のみに固定されていることを特徴とする。
このような扉ユニットによれば、ピボットヒンジが固定される縦枠は、壁の、見込み方向における一方側の見付け面のみに固定されているので、開口をなす壁の見込み面に回り込む部位を有していない。このため、例えば、開口の上部に垂壁が設けられている場合であっても、垂壁を有していない壁の開口と同一の縦枠を用いることが可能である。
【００３９】
かかる扉ユニットであって、前記扉の前記幅方向における他端側の部位が、前記壁と見込み方向に所定の間隔を空けて対向する位置にて、前記扉の前記壁側への回動を規制する規制部材を有していることを特徴とする。
このような扉ユニットによれば、一端側が回動自在に支持された扉は、規制部材により扉の他端側の部位が、壁と見込み方向に間隔を空けて対向する位置にて回動が規制されるので、扉の他端側の部位は壁に当接しない。このため、扉を閉める際に、扉の他端側の部位と壁との間に手指が置かれていたとしても、手指が押圧され難い。このため、扉を閉める際に、扉の他端側においても手指が押圧され難いアウトセットタイプの扉ユニットを提供することが可能である。
【００４０】
かかる扉ユニットであって、前記所定の間隔は、前記扉の前記他端側の部位と前記壁との間に手指が挿通可能な間隔であることを特徴とする。
このような扉ユニットによれば、規制部材にて規制された扉の他端側の部位と壁との間には手指が挿通可能なので、扉の他端側において手指を挟むことをより確実に防止することが可能である。
【００４１】
かかる扉ユニットであって、前記扉の前記一端側の部位と前記縦枠との見込み方向の間隔は、前記所定の間隔よりも狭いことを特徴とする。
このような扉ユニットによれば、扉の一端側の間隔は、他端側の間隔より狭いので、扉の一端側では、ピボットヒンジの回動軸を開口寄りに配置しつつも光の漏れをより抑えることが可能であり、扉の他端側では、手指が押圧されることを抑制することが可能である。
【００４２】
かかる扉ユニットであって、前記規制部材は、前記扉の下端及び床のいずれか一方から突出して他方と係合することを特徴とする。
このような扉ユニットによれば、規制部材は、扉の下端及び床のいずれか一方から突出して他方と係合するので、扉がない状態では規制部材は突出していない。このため、規制部材はユーザー等が手指で触れ難いので安全性が高く、また、視認され難いので意匠性にも優れている。
【００４３】
かかる扉ユニットであって、前記規制部材は、前記扉の上端部側において、前記扉及び前記壁のいずれか一方に設けられて他方に当接する、または、前記扉及び前記壁の両方に設けられて互いに当接することにより、前記扉の回動を規制することを特徴とする。
【００４４】
このような扉ユニットよれば、扉及び壁のいずれか一方に設けられた規制部材が他方に当接する、または、扉及び壁の両方に設けられた規制部材が互いに当接することにより、扉の回動が規制されるので、より確実に扉の壁側への回動を規制することが可能である。また、規制部材は、扉の上端部側に設けられている。このため、規制部材には、ユーザー等が手指で触れ難いので安全性が高く、また、視認され難いので意匠性にも優れている。
【符号の説明】
【００４５】
１  扉ユニット、２  壁、２ａ  開口、２ｂ  右壁部、２ｅ  左壁部、
３  ピボットヒンジ、３ａ  回動軸、４  柱、５  縦枠、６  規制部材、
６ｃ  突出部材、６ｅ  規制部材、７  床、１０  扉、
Ｗ１  扉と左壁部との間隔、Ｗ２  扉と縦枠との間隔
【図１】
2020176408.tif 000003
【図２】
2020176408.tif 000004
【図３】
2020176408.tif 000005
【図４】
2020176408.tif 000006
【図５】
2020176408.tif 000007
【図６】
2020176408.tif 000008
【図７】
2020176408.tif 000009
【図８】
2020176408.tif 000010